(57)【要約】【課題】水平及び垂直方向のいずれにおいても広い視野角を得ることができることは勿論のこと、従来の透過型スクリーンを利用することを可能とし、製造コストを低減させた透過型スクリーンを提供する。【解決手段】フレネルレンズ機能を有する光学部材と、観察者側から見て垂直方向を長手方向とする縦長のシリンドリカルレンズを観察者側から見て水平方向に連続して複数配列したレンチキュラレンズとを少なくとも備えた透過型スクリーンにおいて、粘着剤と、この粘着剤と屈折率の異なる針状フィラーとからなり、針状フィラーが、略同一方向に配向して粘着剤中に分散されており、針状フィラーの長軸方向が、レンチキュラレンズの水平方向と略同一である、異方性光拡散粘着層をレンチキュラレンズの観察者側に設ける。【選択図】図１
2008032997.tif 000002
【特許請求の範囲】
【請求項１】
フレネルレンズ機能を有する光学部材と、観察者側から見て垂直方向を長手方向とする縦長のシリンドリカルレンズを上記観察者側から見て水平方向に連続して複数配列したレンチキュラレンズとを少なくとも備えた透過型スクリーンにおいて、
上記レンチキュラレンズの観察者側に、異方性光拡散粘着層を設け、
上記異方性光拡散粘着層は、粘着剤と、上記粘着剤と屈折率の異なる針状フィラーとからなり、
上記針状フィラーが、略同一方向に配向して上記粘着剤中に分散されており、
上記針状フィラーの長軸方向が、上記レンチキュラレンズの水平方向と略同一であることを特徴とする透過型スクリーン。
【請求項２】
フレネルレンズ機能を有する第一光学部材と、異方性光拡散粘着層を有する第二光学部材とを備えた透過型スクリーンであって、
上記第二光学部材は、上記第一光学部材よりも観察者側に配置され、
上記異方性光拡散粘着層は、粘着剤と、上記粘着剤と屈折率の異なる針状フィラーとからなり、
上記針状フィラーが、略同一方向に配向して上記粘着剤中に分散されており、
上記針状フィラーの長軸方向が、上記観察者側から見て垂直方向であることを特徴とする透過型スクリーン。
【請求項３】
フレネルレンズ機能を有する第一光学部材と、第一及び第二の異方性光拡散粘着層を有する第二光学部材とを備えた透過型スクリーンであって、
上記第二光学部材は、上記第一光学部材よりも観察者側に配置され、
上記異方性光拡散粘着層は、粘着剤と、上記粘着剤と屈折率の異なる針状フィラーとからなり、
上記針状フィラーが、略同一方向に配向して上記粘着剤中に分散されており、
上記第一異方性光拡散粘着層の針状フィラーの長軸方向と、上記第二異方性光拡散粘着層の針状フィラーの長軸方向とが、異なる方向であることを特徴とする透過型スクリーン。
【請求項４】
前記第一異方性光拡散粘着層の針状フィラーの長軸方向と、前記第二異方性光拡散粘着層の針状フィラーの長軸方向とが、観察者側から見て直交していることを特徴とする請求項３に記載の透過型スクリーン。
【請求項５】
前記第一異方性光拡散粘着層の針状フィラーの長軸方向が、観察者側から見て垂直方向であり、前記第二異方性光拡散粘着層の針状フィラーの長軸方向が、観察者側から見て水平方向であることを特徴とする請求項３に記載の透過型スクリーン。
【請求項６】
前記針状フィラーは、長径が２〜５０００μｍ、短径が０．１〜２０μｍであることを特徴とする請求項１〜５のいずれかに記載の透過型スクリーン。
【請求項７】
前記粘着剤と前記針状フィラーとの屈折率差は、０．０１以上であることを特徴とする請求項１〜５のいずれかに記載の透過型スクリーン。
【発明の詳細な説明】
【技術分野】
【０００１】
本発明は、リアプロジェクションに用いられる、異方性拡散媒体を適用した透過型スクリーンに関するものである。
【背景技術】
【０００２】
一般的なリアプロジェクションは、ＣＲＴプロジェクタ又は液晶プロジェクタと、このプロジェクタから発せられた映像光を投影する透過型スクリーンとを備えており、この透過型スクリーンは、フレネルレンズとレンチキュラレンズとから構成されている。フレネルレンズは、投射された映像光を観察者側に対して平行に偏向させ、レンチキュラレンズに垂直に入射させるためのものである。また、レンチキュラレンズは、垂直方向を長手方向とする縦長のシリンドリカルレンズを水平方向に連続して複数配列した構成により、入射した映像光を屈折させて出射する光を拡散させ、画像の水平視野角を広くするためのものである。
【０００３】
さらに、このようなリアプロジェクションにおいては、レンチキュラレンズ中に光拡散剤を混入させて、映像光の拡散角を大きくしたり、レンチキュラレンズの出射面のうちでレンチキュラレンズ以外の部分に、ブラックストライプを設けて、外光の反射によるコントラストの低下を防止したりする態様も知られている。
【０００４】
しかしながら、上記のリアプロジェクションでは、水平方向における視野角は、レンチキュラレンズにより実用上十分に得られるが、垂直方向においては、光拡散剤による効果しか得られないため、視野角が狭く、観察者の視点の位置が垂直方向にずれると、画面が暗くて、良好に画像を表示することができないといった問題を有している。
【０００５】
このような問題に対しては、光拡散剤の分散濃度を基板の厚さ方向で異ならせた光拡散基板を設けることによって、水平、垂直の両方向で広い視野角を持たせた透過型スクリーンが開示されている（例えば、特許文献１参照。）。また、縦ストライプの第１レンチキュラースクリーンと、横ストライプの第２レンチキュラースクリーンとを重畳させることによって、水平及び垂直方向のいずれでも広い視野角を確保し得る映像表示用スクリーンが報告されている（例えば、特許文献２参照。）。
【０００６】
しかしながら、これらの従来のスクリーンでは、上記のような特殊な光拡散板又は第２レンチキュラースクリーンを備えた構成を製造することとなり、製造工程が煩雑になり、製造コストが高くなるといった問題を有している。
【０００７】
また、光を特定方向にのみ拡散させる拡散部材としては、粘着剤中に、この粘着剤と屈折率の異なる針状フィラーを略同一方向に配向して分散させた異方性光拡散粘着層が開発されている（例えば、特許文献３参照。）。この異方性光拡散粘着層によれば、異方性光拡散粘着層に対して垂直に入射させた光が配向された針状フィラーの長軸方向に対して直交する方向に偏向されるという効果を奏する。
【０００８】
【特許文献１】特開２００２−２３６３１９号公報
【特許文献２】特開２００５−１８０７０号公報
【特許文献３】特開２００４−２１２９１６号公報
【発明の開示】
【発明が解決しようとする課題】
【０００９】
そこで、本発明は、水平及び垂直方向のいずれにおいても広い視野角を得ることができることは勿論のこと、従来の透過型スクリーンを利用することを可能とし、製造コストを低減させた透過型スクリーンを提供することを目的としている。
【課題を解決するための手段】
【００１０】
本発明者は、上記の従来技術を鑑みて、上記の針状フィラーを略同一方向に配向して粘着剤中に分散させた異方性光拡散粘着層を従来の透過型スクリーンに適用することによって、垂直方向の視野角の拡大を可能とし、本願発明の完成に至った。したがって、本発明の透過型スクリーンは、フレネルレンズ機能を有する光学部材と、観察者側から見て垂直方向を長手方向とする縦長のシリンドリカルレンズを上記観察者側から見て水平方向に連続して複数配列したレンチキュラレンズとを少なくとも備えた透過型スクリーンにおいて、上記レンチキュラレンズの観察者側に、異方性光拡散粘着層を設け、上記異方性光拡散粘着層は、粘着剤と、上記粘着剤と屈折率の異なる針状フィラーとからなり、上記針状フィラーが、略同一方向に配向して上記粘着剤中に分散されており、上記針状フィラーの長軸方向が、上記レンチキュラレンズの水平方向と略同一であることを特徴としている。
【００１１】
また、本発明の透過型スクリーンの他の態様としては、フレネルレンズ機能を有する第一光学部材と、異方性光拡散粘着層を有する第二光学部材とを備えた透過型スクリーンであって、上記第二光学部材は、上記第一光学部材よりも観察者側に配置され、上記異方性光拡散粘着層は、粘着剤と、上記粘着剤と屈折率の異なる針状フィラーとからなり、上記針状フィラーが、略同一方向に配向して上記粘着剤中に分散されており、上記針状フィラーの長軸方向が、上記観察者側から見て垂直方向であることを特徴としている。
【００１２】
さらに、本発明の透過型スクリーンのさらなる他の態様としては、フレネルレンズ機能を有する第一光学部材と、第一及び第二の異方性光拡散粘着層を有する第二光学部材とを備えた透過型スクリーンであって、上記第二光学部材は、上記第一光学部材よりも観察者側に配置され、上記異方性光拡散粘着層は、粘着剤と、上記粘着剤と屈折率の異なる針状フィラーとからなり、上記針状フィラーが、略同一方向に配向して上記粘着剤中に分散されており、上記第一異方性光拡散粘着層の針状フィラーの長軸方向と、上記第二異方性光拡散粘着層の針状フィラーの長軸方向とが、異なる方向であることを特徴としている。
【００１３】
なお、本発明における垂直方向及び水平方向とは、透過型スクリーンを観察する観察者側から見た方向を示すものである。
【発明の効果】
【００１４】
本発明によれば、針状フィラーを略同一方向に配向して粘着剤中に分散させた異方性光拡散粘着層を、この針状フィラーの長軸方向がレンチキュラレンズの水平方向と略同一となるように、レンチキュラレンズの観察者側に設けることによって、レンチキュラレンズから出射される光を垂直方向に拡散することができ、水平方向のみならず、垂直方向に対しても広い視野角を得ることができる。
【００１５】
また、本発明における異方性光拡散粘着層は、一般的な光拡散層と比較して、特定の方向（範囲）に光を拡散する機能を有するため、本発明の構成においては、フレネルレンズ及びレンチキュラレンズからなる従来の透過型スクリーンに、本発明における異方性光拡散粘着層を規定の配置に積層するだけで、水平方向のみならず、垂直方向に対しても広い視野角を得ることができるだけでなく、表示の明るさも大きく低下しない本発明の透過型スクリーンを構成することができ、製造コストを従来に比べて格段に低減させることができる。
【００１６】
さらに、本発明の他の態様によれば、針状フィラーを略同一方向に配向して粘着剤中に分散させた異方性光拡散粘着層を有する第二光学部材を用い、この第二光学部材を、針状フィラーの長軸方向が観察者側から見て垂直方向となるように配設することによって、レンチキュラレンズを用いないにもかかわらず、従来のレンチキュラレンズを備えた透過型スクリーンと同等の機能を発揮することができ、さらに、このような構成により、安価に薄型化を実現することができる。
【００１７】
また、本発明のさらなる他の態様においては、第一異方性光拡散粘着層の針状フィラーの長軸方向と、第二異方性光拡散粘着層の針状フィラーの長軸方向とが、異なる方向となるように、第二光学部材の第一及び第二の異方性光拡散粘着層が積層されている。本発明においては、第一異方性光拡散粘着層の針状フィラーの長軸方向と、第二異方性光拡散粘着層の針状フィラーの長軸方向とが、観察者側から見て直交していることが好ましく、また、第一異方性光拡散粘着層の針状フィラーの長軸方向が、観察者側から見て垂直方向であり、かつ、第二異方性光拡散粘着層の針状フィラーの長軸方向が、観察者側から見て水平方向であることがより好ましい。
【００１８】
このような構成によれば、レンチキュラレンズを用いないにもかかわらず、上記の第一の態様と同様に、表示の明るさを大きく低下することなく、水平方向のみならず、垂直方向に対しても広い視野角を得ることができ、さらに、製造コストを安価に抑えつつ薄型化を可能としている。
【発明を実施するための最良の形態】
【００１９】
次に、本発明の透過型スクリーンの第一の態様について図面を参照してより詳細に説明する。
本発明の透過型スクリーンは、図１に示すように、映像光が入射する順に、フレネルレンズ１、レンチキュラレンズ２、及び、異方性光拡散粘着層３が設けられた構成である。このような構成の本願発明の透過型スクリーンにおいては、まず、プロジェクタ（図示していないが、図面右側に配置される）から映像光がフレネルレンズ１に投射される。このフレネルレンズ１に入射された映像光は、観察者側に配置されたレンチキュラレンズ２に対して平行に偏向されて、レンチキュラレンズ２に垂直に出射される。そして、レンチキュラレンズ２に入射された映像光は、水平方向に連続して複数配列された垂直方向を長手方向とする縦長のシリンドリカルレンズにより、屈折拡散されて出射され、画像の水平視野角が拡大される。
【００２０】
次いで、レンチキュラレンズ２から出射された映像光が異方性光拡散粘着層３に入射されると、粘着剤中に略同一方向に配向して分散された針状フィラーの長軸方向が、レンチキュラレンズの水平方向と略同一となるように配置されているため、入射された映像光がレンチキュラレンズ２の垂直方向に拡散され、画像の垂直視野角が拡大される。したがって、本発明の透過型スクリーンによれば、水平方向のみならず、垂直方向に対しても広い視野角を得ることができる。
【００２１】
なお、図１に示す本発明の実施形態では、透明基材４に積層された異方性光拡散粘着層３をレンチキュラレンズ２に貼着した構成であるが、この異方性光拡散粘着層３は、レンチキュラレンズ２の観察者側に配置されていればよく、異方性光拡散粘着層とレンチキュラレンズとの間に透明基材や他の光学素子を配設しても、また、透明基材に代えて、他の光学素子を積層してもよい。なお、他の光学素子とは、例えば、光反射素子、光拡散素子等が挙げられ、異方性光拡散粘着層を複数の他の光学素子で狭持する構成の場合、これらの光学素子は同種であっても異種であってもよい。
【００２２】
本発明の透過型スクリーンにおいては、異方性光拡散粘着層を有する点が特徴的な構成であり、その他のフレネルレンズ及びレンチキュラレンズは、従来公知の構成及び材質のものを用いることができる。したがって、以下、異方性光拡散粘着層についてのみ説明する。
【００２３】
本発明における異方性光拡散粘着層は、粘着剤と、この粘着剤と屈折率の異なる針状フィラーとからなり、この針状フィラーが、略同一方向に配向して粘着剤中に分散されていることが必須である。そして、第一の態様においては、針状フィラーの長軸方向が、レンチキュラレンズの水平方向と略同一となるように、また、第二の態様においては、針状フィラーの長軸方向が観察者側から見て垂直方向となるように、さらには、第三の態様においては、第一異方性光拡散粘着層の針状フィラーの長軸方向と、第二異方性光拡散粘着層の針状フィラーの長軸方向とが異なる方向となるように、配設される必要がある。なお、本発明の透過型スクリーンにおいては、針状フィラーは、本発明の目的である異方性拡散機能を発現できる程度に配向していれば足り、必ずしも全ての針状フィラーが正確に配向している必要はない。
【００２４】
次に、本発明における異方性光拡散粘着層による異方性光拡散機構を図２を参照して詳細に説明する。図２は、本発明における異方性光拡散粘着層、及びこれに細い直線光を垂直入射させた時の透過光の拡散状態を模式的に示す図であり、斜線部分は、本発明における異方性光拡散粘着層の透過光の投射像を模式的に示す図である。なお、図２においては、便宜上、針状フィラーの長軸方向をｘ軸、異方性光拡散粘着層の面をｘｙ平面、異方性光拡散粘着層の厚さ方向をｚ軸とした。
【００２５】
図２に示すように、本発明における異方性光拡散粘着層に直線光を垂直入射させると、入射光は粘着剤と異なる屈折率を有する針状フィラーの表面で屈折される。その結果、針状フィラーの長軸方向と直交する面やその近傍への光拡散量が増すことになり、拡散光は異方性を示す。すなわち、透過光の投射像は針状フィラーの長軸方向と直交する方向に伸びた楕円形状となる。これに対し、針状フィラーの代わりに、球状フィラーを用いた光拡散粘着層では、図３に示すように、入射光は球状フィラーの表面で等方的に拡散されることとなり、異方性を示さない。すなわち、透過光の投射像は円形状となる。
【００２６】
次いで、本発明における異方性光拡散粘着層に用いられる粘着剤としては、特に限定されるものではないが、（ａ）光学的透明性が高いこと、（ｂ）異方性光拡散粘着層を形成する基材（例えば、偏光板の保護フィルムであるＴＡＣフィルム等）と近い屈折率を有すること、（ｃ）偏光素子用の粘着剤等として信頼性が高く実績が多いこと、（ｄ）比較的安価なこと等の要件を満たすものが好ましい。かかる要件を満たすものとしては、アクリル系粘着剤等が挙げられる。
【００２７】
アクリル系粘着剤の主成分としては、アクリル酸及びそのエステル、メタクリル酸及びそのエステル、アクリルアミド、アクリロニトリル等のアクリルモノマーの単独重合体もしくはこれらの共重合体、前記アクリルモノマーの少なくとも１種と、酢酸ビニル、無水マレイン酸、スチレン等のビニルモノマーとの共重合体等が挙げられる。
【００２８】
これらの中でも、粘着性を発現するエチルアクリレート、ブチルアクリレート、２−エチルへキシルアクリレート等の主モノマーと、凝集力成分となる酢酸ビニル、アクリルアミド、アクリロニトリル、スチレン、メタクリレート等のモノマーと、接着力を向上させ架橋化起点を付与するアクリル酸、メタクリル酸、イタコン酸、無水マレイン酸、ヒドロキシルエチルメタクリレート、ヒドロキシルプロピルメタクリレート、ジメチルアミノエチルメタクリレート、メチロールアクリルアミド、グリシジルメタクリレート等の官能基含有モノマーとからなる共重合体であって、ガラス転移点Ｔｇが−６０〜−１５℃の範囲にあり、質量平均分子量が１０万〜２００万の範囲にあるものが好適である。
【００２９】
本発明においては、アクリル系粘着剤には上記主成分の他、必要に応じて、金属キレート系、イソシアネート系、エポキシ系等の架橋剤を１種あるいは２種以上配合することもできる。
【００３０】
また、アクリル系粘着剤としては、末端や側鎖にアクリル基を有するオリゴマーとアクリル系モノマーに光重合開始剤等を配合してなり、基材上に塗工した後、紫外線等を照射することにより塗工層が粘着化するものを用いることもできる。
【００３１】
さらに、アクリル系粘着剤は、にごりや着色がなく透明性の高いものが好ましく、その屈折率は１．４５〜１．５５であることが好ましい。なお、本明細書において、粘着層の屈折率は、ＪＩＳ Ｋ−７１４２（１９９６）に記載のＡ法に基づいて測定されるものとする。
【００３２】
また、本発明における異方性光拡散粘着層にあっては、ＪＩＳ−Ｚ−０２３７（１９８０）に基づく１８０°剥離強度が１００〜２０００ｇ／２５ｍｍの範囲になるように、粘着力が調整されていることが実用上好ましい。１８０°剥離強度が１００ｇ／２５ｍｍ未満では、耐環境性が不十分となり、特に高温高湿時に剥離が生じる恐れがあり、逆に２０００ｇ／２５ｍｍ超では貼り直しが困難であり、貼り直しができても剥離部分に粘着剤が残る恐れがあるため、好ましくない。
【００３３】
本発明に用いられる針状フィラーは、粘着剤と屈折率が異なり、針状（繊維状を含む）を呈する高アスペクト比のフィラーであれば特に限定されるものではないが、本発明においては、無色又は白色のものが好ましい。具体的には、酸化チタン、酸化ジルコニウム、酸化亜鉛等の金属酸化物、ベーマイト、ホウ酸アルミニウム、ケイ酸カルシウム、塩基性硫酸マグネシウム、炭酸カルシウム、チタン酸カリウム等の金属化合物、ガラス、合成樹脂等からなる針状または繊維状物が好適に用いられる。
【００３４】
針状フィラーのサイズとしては、長径が２〜５０００μｍ、短径が０．１〜２０μｍであることが好ましく、長径が１０〜３００μｍ、短径が０．３〜５μｍであることが特に好ましい。長径が２μｍ未満あるいは５０００μｍ超では、粘着層中に針状フィラーを良好に分散・配向させることが困難となり、異方性光拡散機能を安定して発現させることができなくなる恐れがあるため、好ましくない。一方、短径が０．１μｍ未満では、針状フィラーを良好に分散・配向させることが困難であると共に、光拡散機能が低下する恐れがあり、短径が２０μｍ超では、拡散光がぎらつきの強いものとなるため、好ましくない。
【００３５】
本発明においては、粘着剤と針状フィラーとの屈折率に差があることが必須であるが、良好な光拡散機能を発現させるためには、屈折率差が０．０１以上であることが好ましく、０．０５以上であることが特に好ましい。なお、本明細書における針状フィラーの屈折率は、ＪＩＳ Ｋ−７１４２（１９９６）に記載のＢ法に基づいて測定されるものとする。
【００３６】
本発明における異方性光拡散粘着層中の針状フィラーの含有量は特に限定されるものではないが、所望の光学特性や、針状フィラーのサイズや比重、粘着剤と針状フィラーとの屈折率差等に応じて適宜設計され、０．１〜５０．０質量％であることが好ましく、５〜４５質量％であることが特に好ましい。針状フィラーの含有量が０．１質量％未満では光拡散性が不十分となる恐れがあり、５０．０質量％超では粘着力が低下して剥離を生じる恐れがあるため、好ましくない。
【００３７】
本発明における異方性光拡散粘着層の厚さは特に限定されるものではないが、１〜５０μｍであることが好ましく、１０〜３０μｍであることが特に好ましい。異方性光拡散粘着層の厚さが１μｍ未満では、十分な粘着力や異方性光拡散機能を発現できなくなる恐れがあり、５０μｍ超では、光学特性のさらなる向上効果が得られず、製造効率も悪くなるため、好ましくない。
【００３８】
次いで、本発明における異方性光拡散粘着層の製造方法について説明する。
本発明における異方性光拡散粘着層は、例えば、粘着剤中に針状フィラーを分散させたフィラー含有粘着組成物を調製し、これを離型シートや各種光学素子等の基材上に塗工した後、溶剤を乾燥除去し、その上に離型シートや各種光学素子をラミネートし、さらに必要に応じて粘着剤成分の硬化又は安定化のために、室温あるいは３０〜６０℃程度の温度環境下で１日〜２週間程度キュアーすることにより容易に製造できる。
【００３９】
一般に、アクリル系粘着剤等の粘着剤は、酢酸エチル、アセトン、メチルエチルケトン、トルエン等の溶剤を含んだ状態で市販されているが、フィラー含有粘着組成物の調製にあたっては、濡れ性、レベリング性、乾燥性等の塗工適性を向上させるために、上記溶剤の他に、必要に応じて、酢酸ブチル、メチルイソブチルケトン、シクロヘキサノン等の溶剤を添加してもよい。
【００４０】
また、針状フィラーの粘着剤中への分散性を向上するために、予めフィラー表面に油脂類、界面活性剤、シランカップリング剤等の分散性向上剤を作用させ、フィラー表面を改質しておいてもよい。なお、かかる分散性向上剤は、針状フィラーの表面に付着させる代わりに、フィラー含有粘着組成物に配合することもできる。針状フィラーの粘着剤中への分散は、デイスパー、アジター、ボールミル、アトライター等の各種混合・攪拌装置、分散装置等を用いて行うことができる。また、フィラー含有粘着組成物には、必要に応じて着色染料、蛍光染料、増粘剤、界面活性剤、レベリング剤等を添加することもできる。
【００４１】
調製したフィラー含有粘着組成物は、基材に塗工する前にあらかじめ脱泡しておくことが好ましい。フィラー含有粘着組成物の塗工は、例えば、リバースコーター、ダムコーター、コンマコーター、ダイコーター、ドクターバーコーター、グラビアコーター、マイクログラビアコーター、ロールコーター等のコーターを用いて行うことができる。
【００４２】
フィラー含有粘着組成物を塗工する際には、フィラー含有粘着組成物にかかる剪断力により、各針状フィラーはその長軸が塗工方向にほぼ沿うように配向するため、針状フィラーが略同一方向に配向して分散された本発明における異方性光拡散粘着層を比較的に容易に製造することができる。なお、針状フィラーの配向の程度は、針状フィラーのサイズや、フィラー含有粘着組成物の粘度、塗工方式、塗工速度等により調整できる。また、形成する異方性光拡散粘着層の厚さは、フィラー含有粘着組成物の塗工厚さや、フィラー含有粘着組成物中の溶剤量等により容易に調整できる。
【図面の簡単な説明】
【００４３】
【図１】本発明の透過型スクリーンを模式的に示す図である。
【図２】本発明における異方性光拡散粘着層に細い直線光を垂直入射させた時の透過光の拡散状態を模式的に示す図である。
【図３】球状フィラーを用いた光拡散粘着層に細い直線光を垂直入射させた時の透過光の拡散状態を模式的に示す図である。
【符号の説明】
【００４４】
１…フレネルレンズ、２…レンチキュラレンズ、３…異方性光拡散粘着層、
４…透明基材。
【図１】
2008032997.tif 000003
【図２】
2008032997.tif 000004
【図３】
2008032997.tif 000005